(57)【要約】【課題】これまでのゴミ箱は、ゴミ袋を開きゴミ袋がゴミ箱に一定程度固定されるように投げ入れ口の縁や隅の部分に被せて折り返したり、あるいは、被せた剰余部分を結ぶなどしており、手間のかかるものであった。そこで、ゴミ袋の取り付けが容易なゴミ箱を提供することを課題とする。【解決手段】上記課題を解決するために、ゴミ箱本体と、開口部を合わせて閉じたゴミ袋を、その閉じられた開口部がゴミ箱本体のごみ投げ入れ口の縁に沿うように複数枚重ねて配置されたゴミ袋群とからなるゴミ箱などを提供する。【選択図】図１
2013173582.tif 000002
【特許請求の範囲】
【請求項１】
ゴミ箱本体と、
開口部を合わせて閉じたゴミ袋を、その閉じられた開口部がゴミ箱本体のごみ投げ入れ口の縁に沿うように複数枚重ねて配置されたゴミ袋群と、
からなるゴミ箱。
【請求項２】
前記ゴミ袋群の手前のゴミ袋の合わせて閉じられた開口部の一の側を引っ張ることで、開口部が開くように前記ゴミ袋群は配置されている請求項１に記載のゴミ箱。
【請求項３】
前記引っ張ることで開かれた開口部の一の側を仮止めするための仮止め部が前記ゴミ投げいれ口に設けられている請求項２に記載のゴミ箱。
【請求項４】
前記開口部の一の側が仮止めされた状態でゴミ袋の底部は、ゴミ箱本体の内底部に着底する状態となる請求項３に記載のゴミ箱。
【請求項５】
前記ゴミ箱本体のゴミ投げ入れ口には、ゴミ袋群を前記配置とするためにゴミ袋群を差し込んで係止するためのフックが設けられている請求項１から４のいずれか一に記載のゴミ箱。
【請求項６】
ゴミ箱本体は、ゴミ投げ入れ口を合わせるように折りたたみ可能である請求項１から５のいずれか一に記載のゴミ箱。
【請求項７】
ゴミ袋群を配置した状態で折り畳まれた請求項６に記載のゴミ箱。
【請求項８】
請求項５、請求項５に従属する請求項６に記載のゴミ箱本体。
【発明の詳細な説明】
【技術分野】
【０００１】
本発明は、ゴミ袋の取り付けが容易なゴミ箱に関する。
【背景技術】
【０００２】
ゴミ箱の使用に際して多くの場合に行われているのは、ゴミ袋をゴミ箱の内側に取り付けておき、投入されたゴミにより当該ゴミ袋が満杯になると、当該ゴミ袋をゴミ箱から取り外し、新たなゴミ袋を取り付けるというものである。
【０００３】
ここで、ゴミ袋の取り付けは、ゴミ袋を開き、ゴミ袋がゴミ箱に一定程度固定されるように投げ入れ口の縁や隅の部分にゴミ袋を被せて折り返したり、あるいは、被せた剰余部分を結ぶなどして固定する。これは、ゴミ袋がゴミ箱の投げ入れ口に沿って開いた状態で維持されるようにするためである。
【０００４】
また、市販されているゴミ袋は、複数枚のゴミ袋が重ねられ、その状態のままさらに折り畳まれた状態で販売されている。したがって、上述したゴミ袋の取り付けは、まず、折り畳まれた複数枚のゴミ袋群から1枚のゴミ袋を分離した上で行わなければならない。このようにゴミ袋の取り付けは、少なからぬ手間を要し、煩雑なものである。
【０００５】
煩雑なゴミ袋の取り付けを容易にするための工夫として、例えば、特許文献１に記載のゴミ箱がある。これは、ゴミ箱本体を二重底にして個々のゴミ袋が切り離し可能に連続しかつロール状に巻かれたゴミ袋群を収納可能にすることにより、ゴミ袋を連続して上方に取り出せ、かつゴミ袋がゴミで満杯になった際には、これを切り離して次のゴミ袋がゴミ箱本体にセットされるように構成されている。そして、開口させたゴミ袋の状態を維持するために、ゴミ箱本体の開口部の各隅にゴミ袋の開口縁部を係止するための鉤が設けられている。
【先行技術文献】
【特許文献】
【０００６】
【特許文献１】特開平１１−３２２００５号公報
【発明の概要】
【発明が解決しようとする課題】
【０００７】
上記のゴミ箱には以下の課題が存在する。まず、ゴミ箱本体の開口部の各隅にゴミ袋の開口縁部を係止する手間は、ゴミ箱本体の各隅部にゴミ袋を被せて折り返すような従来の手間と、さほどの差異は認められない。そして、各隅への係止は、ゴミ袋の取り替えの度に行わなければならない。また、ロール状に巻かれたゴミ袋群を用いることが条件となっており、市販のゴミ袋のような汎用品を用いることができない。
【課題を解決するための手段】
【０００８】
そこで、上記課題を解決するために本発明において、以下のゴミ箱を提供する。すなわち、第一の発明としては、ゴミ箱本体と、開口部を合わせて閉じたゴミ袋を、その閉じられた開口部がゴミ箱本体のごみ投げ入れ口の縁に沿うように複数枚重ねて配置されたゴミ袋群とからなるゴミ箱を提供する。
【０００９】
第二の発明としては、前記ゴミ袋群の手前のゴミ袋の合わせて閉じられた開口部の一の側を引っ張ることで、開口部が開くように前記ゴミ袋群は配置されている第一の発明に記載のゴミ箱を提供する。
【００１０】
第三の発明としては、前記引っ張ることで開かれた開口部の一の側を仮止めするための仮止め部が前記ゴミ投げ入れ口に設けられている第二の発明に記載のゴミ箱を提供する。
【００１１】
第四の発明としては、前記開口部の一の側が仮止めされた状態でゴミ袋の底部は、ゴミ箱本体の内底部に着底する状態となる第三の発明に記載のゴミ箱を提供する。
【００１２】
第五の発明としては、前記ゴミ箱本体のゴミ投げ入れ口には、ゴミ袋群を前記配置とするためにゴミ袋群を差し込んで係止するためのフックが設けられている第一の発明から第四の発明のいずれか一に記載のゴミ箱を提供する。
【００１３】
第六の発明としては、ゴミ箱本体は、ゴミ投げ入れ口を合わせるように折りたたみ可能である第一の発明から第五の発明のいずれか一に記載のゴミ箱を提供する。
【００１４】
第七の発明としては、ゴミ袋群を配置した状態で折り畳まれた第六の発明に記載のゴミ箱を提供する。
【００１５】
第八の発明としては、第五の発明、第五の発明に従属する第六の発明に記載のゴミ箱本体を提供する。
【発明の効果】
【００１６】
本発明により、ゴミ袋の取り付けが容易なゴミ箱を提供することができる。
【図面の簡単な説明】
【００１７】
【図１】実施形態１に係るゴミ箱の概念図
【図２】実施形態１に係るゴミ袋群の概念図
【図３】実施形態１に係るゴミ箱本体に配置されるゴミ袋群の概念図
【図４】実施形態１に係るゴミ袋群の配置を説明するための概念図
【図５】実施形態１に係る仮止め部を示す概念図
【図６】実施形態１に係る仮止め部の例を示す概念図
【図７】実施形態１に係るゴミ袋群と仮止め部の一例を示す概念図
【図８】実施形態１に係るゴミ袋群と仮止め部の他の例を示す概念図
【図９】実施形態１に係るゴミ箱本体とゴミ袋との関係を示す概念図
【図１０】実施形態１に係るゴミ箱本体とゴミ袋との関係を説明するための概念図
【図１１】実施形態２に係るゴミ箱本体の概念図
【図１２】実施形態２に係るゴミ箱本体の概念図
【図１３】実施形態２に係る着脱可能なゴミ箱本体の底部の概念図
【発明を実施するための形態】
【００１８】
以下、本発明の実施の形態について、添付図面を用いて説明する。なお、本発明は、これら実施形態に何ら限定されるべきものではなく、その要旨を逸脱しない範囲において、種々なる態様で実施し得る。
【００１９】
実施形態１は、主に請求項１から請求項５などに関する。実施形態２は、主に請求項６から請求項８などに関する。
<実施形態１>
<実施形態１  概要>
【００２０】
本実施形態に係るゴミ箱の概念図を図１に示す。図１（ａ）は、満杯になったゴミ袋をゴミ箱本体（０１０１）から取り出した状態のゴミ箱を示す概念図である。このとき、ゴミを投げ入れるために開口しているゴミ箱本体の縁に沿って、複数枚のゴミ袋が重ねられたゴミ袋群（０１０２）が配置されている。
【００２１】
図１（ｂ）は、ゴミ袋群（０１０２）のうちの手前のゴミ袋（０１０３）を広げることでゴミを投入し得る状態となったゴミ箱を示す概念図である。このようにゴミ袋群を配置しておくことにより、手前に位置するゴミ袋を広げるだけでゴミを投入するのに望ましい状態とすることができる。このように重ねられたゴミ袋をまとめてゴミ箱本体の縁に配置することにより、ゴミ袋を取り付ける手間のうちの大半が完了することとなり、従来の手間を大幅に軽減することが可能となる。
<実施形態１  構成>
【００２２】
本実施形態のゴミ箱は、ゴミ箱本体と、開口部を合わせて閉じたゴミ袋を、その閉じられた開口部がゴミ箱本体のごみ投げ入れ口の縁に沿うように複数枚重ねて配置されたゴミ袋群とからなる。
【００２３】
「ゴミ箱本体」は、投げ入れられるゴミを収納するための箱体の容器である。図１においては直方体形状のゴミ箱本体を示したが、当該形状に限られず円柱形状などであってよい。また、その形状が固定されたものに限らず、組立てることで形成したり、あるいは、折り畳み可能に形成してもよい。材質についても何ら限定するものではなく、プラスチックなどの樹脂を用いたり、金属や木材などを用いてもよい。
【００２４】
図２は、ゴミ袋群の概念図である。「ゴミ袋群」（０２０１）は、開口部を合わせて閉じたゴミ袋（０２０２）を複数枚重ねられて構成される。ゴミ袋群を構成する個々のゴミ袋（０２０３）は、開口部（０２０４）を開くことでゴミを収める袋としての機能を発揮する。このゴミ袋群は、例えば、複数枚のゴミ袋が重ねられた状態で市販されている汎用のものをそのまま使用することができる。
【００２５】
図３は、ゴミ箱本体に配置されたゴミ袋群を示す概念図である。ゴミ箱本体（０３０１）は略直方体形状となっており、その一の面が開口しておりゴミの投げ入れ口（０３０２）となっている。
【００２６】
ゴミ袋群（０３０３）は、図示するようにゴミ投げ入れ口の縁に沿って配置される。このとき、ゴミ袋群を構成する複数のゴミ袋のうち、ゴミ箱本体の内側に面しているゴミ袋を手前のゴミ袋（０３０４）という。図においては、三点でゴミ袋群をゴミ投げ入れ口に沿って止めることにより配置している。この三点は、ゴミ袋の開口する辺の両端部分（０３０５、０３０７）とそれら二点の間の部分（０３０６）とにおいて、ゴミ袋群をゴミ箱本体に止められるように位置する。このようにゴミ袋群を配置することにより、ゴミ袋の開口部がゴミ投げ入れ口に沿って開いた状態とすることが容易になるとともに、その状態を維持することが可能となる。
【００２７】
図４は、ゴミ袋群の配置を説明するための概念図である。図４（ａ）の上図は、ゴミ袋群を構成するゴミ袋のいずれもが閉じた状態のゴミ箱を表し、下図は、ゴミ袋群のうちの手前のゴミ袋を抽出して表した概念図である。また、図４（ｂ）は、図４（ａ）におけるゴミ袋を開いた状態として表した概念図である。
【００２８】
まず、図４（ａ）の上図において、ゴミ袋群（０４０２）は、ゴミ箱本体（０４０１）のゴミ投げ入れ口に沿って、三点（０４０６ａ、０４０６ｂ、０４０６ｃ）で止められて配置される。このとき、図４（ａ）の下図に示すように、手前のゴミ袋（０４０３）は、ゴミ箱本体の内側の空間に面する一の側（０４０４）と他のゴミ袋と接する他の側（０４０５）とが合わされた状態で配置されている。そして、ゴミ袋の両端部分を止める二点（０４０６ａ、０４０６ｃ）の間に位置する点（０４０６ｂ）において、ゴミ袋の一の側のみを外し、当該点と略対向するゴミ箱本体の縁に向けて引っ張ることにより、閉じられていたゴミ袋の開口部を開く。そして、引っ張ったゴミ袋の一の側を、引っ張った先の縁に止めることで、ゴミ袋の開口部は、ゴミ箱本体の投げ入れ口の縁に沿って開口し、また、その状態を維持し得るようになる。
【００２９】
ここで、引っ張られたゴミ袋の一の側を止めるための部材について、仮止め部ということとする。これは、ゴミ袋がゴミで満杯になったら外されることから、それまでの間止めておくという意味合いである。
【００３０】
図５は、仮止め部を表す概念図である。図５（ａ）は、ゴミ袋群を構成するすべてのゴミ袋が閉じられて配置されている図であり、図５（ｂ）は、手前のゴミ袋を引っ張って仮止めした図である。図示するように、仮止め部（０５０４）はゴミ袋群（０５０３）が配置されていないゴミ箱本体（０５０１）のゴミ投げ入れ口に設けられている。ゴミ袋を広げて使用するときには、手前のゴミ袋（０５０３）の合わせて閉じられた開口部の一の側をフック状の仮止め部に止めることによりゴミ袋は開口する。
【００３１】
図４及び図５で示したように、手前のゴミ袋の一の側の一か所を外し、引っ張り、引っ張った先で仮止め部に止める、という一連の動作により、容易にゴミ袋を開いた状態でゴミ箱に取り付けることができる。
【００３２】
なお、図４（ｂ）の下図に示すように、ゴミ箱本体に止められたゴミ袋の両端部分は、折り畳まれたままで開口することになるが、止められた部分はゴミ袋の両端部分であることから、ゴミ袋の開口をさほど狭めることにはならず、実用上何ら問題は生じない。むろん、両端部分においてもゴミ袋の一の側を一旦外し、折り畳まれた箇所を解消して再度止めて使用してもよい。
【００３３】
図６は、仮止め部の一例を示す図である。図６（ａ）においては、フック（０６０２）を仮止め部としてゴミ箱本体（０６０１）に設けた場合を示している。また、図６（ｂ）は、スナップボタン（０６０３、０６０４）を設けた場合を示している。図示した他にも、例えば、バネクリップ、粘着剤などを仮止め部として設けてもよい。また、ゴミ箱本体と磁性材にて構成し、あるいは、該当箇所に磁性材を配置するなどしてマグネットを用いてもよい。
【００３４】
また、ゴミ袋群を配置するために、仮止め部と同様の部材をゴミ箱本体のゴミ投げ入れ口に設けることも好ましい。例えば、フックを用いた場合には、ゴミ袋群を差し込んで係止することが容易に行え、また、手前のゴミ袋の一の側を外すことも容易に行うことができる。なお、ゴミ袋群は、上述したゴミ袋群を配置するための部材や仮止め部の構成に応じた専用品を用いてもよいし、市販されている汎用品を用いてもよい。
【００３５】
ゴミ袋群の配置と仮止め部については、これまで記述したようなゴミ袋群の両端部分を含む３箇所にて止め、一の仮止め部を設ける場合に限られない。例えば、図７に示すように、ゴミ袋群（０７０２）を２箇所（０７０４）にてゴミ箱本体（０７０１）に配置してもよい。手前のゴミ袋（０７０３）を開口させるときは、一の側を引っ張って２箇所に設けられる仮止め部（０７０５）に仮止めをすることで、ゴミ袋の開口部が開く。
【００３６】
また、図８に示すように、四角形のゴミ投げ入れ口を形成する二辺に渡りゴミ袋群（０８０２）を、その両端部分を含む３箇所（０８０４）にてゴミ箱本体（０８０１）に配置し、ゴミ袋群の両端部分以外にて止めた箇所と略対向する隅の位置に仮止め部（０８０５）を設けてもよい。この場合、より容易に手前のゴミ袋（０８０３）をゴミ投げ入れ口の縁に沿って開口させることが可能となる。
【００３７】
ゴミ箱本体の大きさとゴミ袋の大きさとの関係については、図９に示すように、開口部の一の側が仮止めされた状態でゴミ袋（０９０３）の底部（０９０４）が、ゴミ箱本体（０９０１）の内底部（０９０２）に着底する状態となるように構成することが好ましい。このように構成することにより、図１０に示すように、投げ入れられたゴミ（１００１）によりゴミ袋の底部（１００２）が破損してゴミ箱本体の内底部（１００３）が汚れることを防止することができる。
【００３８】
以上のように、本発明の特徴は、ゴミ袋群をゴミ投げ入れ口の縁に沿って配置することにより、ゴミ袋をゴミ投げ入れ口の縁に沿って開くための動作の大半が完了することにあり、さらに、手前のゴミ袋を開くために引っ張った先、すなわち、ゴミ袋群が配置されていないゴミ箱本体のゴミ投げ入れ口の縁に仮止め部を設けることで、ゴミ袋がゴミ投げ入れ口の縁に沿って開口した状態を維持させることができるのである。
<実施形態１  効果>
【００３９】
本実施形態のゴミ箱により、ゴミ袋をゴミ箱本体に容易に取り付けることのできるゴミ箱を提供することが可能となる。
<実施形態２>
<実施形態２  概要>
【００４０】
本実施形態のゴミ箱は、ゴミ箱本体を折り畳み可能に構成したものである。折り畳み可能とすることにより、ゴミ箱を使用しないときに嵩張らないようにすることができる。
<実施形態２  構成>
【００４１】
本実施形態に係るゴミ箱は、実施形態１を基本とし、ゴミ箱本体が、ゴミ投げ入れ口を合わせるように折り畳み可能に構成される。
【００４２】
図１１は、本実施形態に係るゴミ箱本体を示す概念図である。図示するようにゴミ箱本体（１１０１）はゴミ投げ入れ口の形が四角形の四隅を落としたような形となっている。このような形状とすることについては後述する。また、ゴミ投げ入れ口には仮止め部としてのフック（１１０２）及びゴミ袋群を配置するためのフックが設けられている。そして、図示するようにゴミ投げ入れ口を合わせるように折り畳むことでゴミ箱本体を平たくすることができる。なお、ゴミ箱本体の底部については、底部を着脱可能に構成してもよいし、組み立て箱のようにゴミ箱本体と一体的に折り畳み可能に構成してもよい。また、このような構成とするためには、プラスチック段ボールなどを材料として用いることが好ましい。
【００４３】
図示したように、ゴミ投げ入れ口の形が四角形の四隅を落としたような形とすることで折り畳んだときに所定の隙間が生じるように構成され、仮止め部やゴミ袋群を配置するためのフックなどにより折り畳むことが妨げられない。また、仮止め部などを設けたままで折り畳めるので、図１２に示すように、ゴミ箱本体（１２０１）にゴミ袋群（１２０２）と着脱可能な底部（１２０３）とを内包した状態で折り畳めることができ、あるいは、予めゴミ袋群を配置した状態で折り畳めることも可能となる。
【００４４】
図１３は、着脱可能な底部の一例を示す概念図である。底部は底板（１３０１）と囲み壁（１３０２）とからなる。底部をゴミ箱本体に取り付けるにあたり底部の天地を変えることで、ゴミ箱本体の深さを調節し得る。このように構成することにより、実施形態１において説明したように、ゴミ袋の大きさに応じてゴミ袋の底部がゴミ箱本体の内底部に着底するように調節し得る。
<実施形態２  効果>
【００４５】
本実施形態のゴミ箱により、ゴミ箱を使用しないときに、嵩張らないようにすることができる。
【符号の説明】
【００４６】
０１０１  ゴミ箱本体
０１０２  ゴミ袋群
０１０３  手前のゴミ袋
【図１】
2013173582.tif 000003
【図２】
2013173582.tif 000004
【図３】
2013173582.tif 000005
【図４】
2013173582.tif 000006
【図５】
2013173582.tif 000007
【図６】
2013173582.tif 000008
【図７】
2013173582.tif 000009
【図８】
2013173582.tif 000010
【図９】
2013173582.tif 000011
【図１０】
2013173582.tif 000012
【図１１】
2013173582.tif 000013
【図１２】
2013173582.tif 000014
【図１３】
2013173582.tif 000015